(57)【要約】【課題】故障した携帯電話を、例えば、販売店から製造会社に輸送するときに、外部からの電磁力によって携帯電話内のデータが消失するのを防止することのできる輸送箱を提供する。【解決手段】平面長方形である箱本体１１に、その後側長上縁をヒンジにして回動自在に蓋体１２を設け、蓋体１２の三辺に、箱本体１１の左右側および前側の三つの内壁に摺接する嵌込片１３を垂下して形成した紙箱１０の底面上に、携帯電話１を置く凹み２１を上面に凹設した非導電体製ウレタンフォーム製の敷物体２０を挿入配置し、敷物体２０の上側に、非導電体製ウレタンフォーム製の緩衝ブロック３０を嵌入する。【選択図】      図１
0003104859.tif 000002
【実用新案登録請求の範囲】
【請求項１】
平面長方形である箱本体（１１）に，その後側長上縁をヒンジにして回動自在に蓋体（１２）を設け，前記蓋体の三辺に，前記箱本体の左右側および前側の三つの内壁に摺接する嵌込片（１３）を垂下して形成した紙箱（１０）の底面上に，携帯電話（１）を置く凹み（２１）を上面に凹設した非導電体製ウレタンフォーム製の敷物体（２０）を挿入配置し，前記敷物体の上側に，非導電体製ウレタンフォーム製の緩衝ブロック（３０）を嵌入してなることを特徴とする携帯電話輸送箱。
【請求項２】
平面長方形である箱本体（１１）に，その後側長上縁をヒンジにして回動自在に蓋体（１２）を設け，前記蓋体の三辺に，前記箱本体の左右側および前側の三つの内壁に摺接する嵌込片（１３）を垂下して形成した紙箱（１０）の底面上に，携帯電話（１）を置く凹み（２１）を上面に凹設した非導電体製ウレタンフォーム製の敷物体（２０）を挿入配置し，前記敷物体の上側に，非導電体製ウレタンフォーム製の緩衝ブロック（３０）を嵌入してなり、前記凹み（２１）内に，複数の携帯電話を個別に収納する部屋を形成する仕切壁（２２）を設けてなることを特徴とする携帯電話輸送箱。
【考案の詳細な説明】
【技術分野】
【０００１】
本考案は、故障した携帯電話を、例えば修理のために、販売店から製造会社に輸送する際に使用する輸送箱に関するものである。
【背景技術】
【０００２】
携帯電話が故障した場合、通常、販売店に持ち込まれるが、こうした携帯電話は、修理のため箱に詰められ製造会社に輸送される。箱に詰めることによって、輸送時の振動や揺れに携帯電話が損傷することがないようにすることができる。
【考案の開示】
【考案が解決しようとする課題】
【０００３】
しかし、輸送時において、これらの携帯電話に外部から電磁力が作用すると、当該携帯電話に蓄積されたデータが消失してしまうといった大きな問題が発生する。
【０００４】
本考案はこうした問題に鑑み創案されたもので、故障した携帯電話を、例えば、販売店から製造会社に輸送するときに、外部からの電磁力によって携帯電話内のデータが消失するのを防止することのできる輸送箱を提供することを課題とする。
【課題を解決するための手段】
【０００５】
図１乃至図４を参照して説明する。請求項１に記載の携帯電話輸送箱は、平面長方形である箱本体１１に、その後側長上縁をヒンジにして回動自在に蓋体１２を設け、前記蓋体１２の三辺に、前記箱本体１１の左右側および前側の三つの内壁に摺接する嵌込片１３を垂下して形成した紙箱１０の底面上に、携帯電話１を置く凹み２１を上面に凹設した非導電体製ウレタンフォーム製の敷物体２０を挿入配置し、前記敷物体２０の上側に、非導電体製ウレタンフォーム製の緩衝ブロック３０を嵌入してなることを特徴とするものである。
【０００６】
請求項２に記載の携帯電話輸送箱は、平面長方形である箱本体１１に、その後側長上縁をヒンジにして回動自在に蓋体１２を設け、前記蓋体の三辺に、前記箱本体の左右側および前側の三つの内壁に摺接する嵌込片１３を垂下して形成した紙箱１０の底面上に、携帯電話１を置く凹み２１を上面に凹設した非導電体製ウレタンフォーム製の敷物体２０を挿入配置し、前記敷物体の上側に、非導電体製ウレタンフォーム製の緩衝ブロック３０を嵌入してなり、前記凹み２１内に、複数の携帯電話を個別に収納する部屋を形成する仕切壁２２を設けてなることを特徴とするものである。
【考案の効果】
【０００７】
請求項１に記載の携帯電話輸送箱は、紙箱１０の底面上に、凹み２１を横設した非導電体製ウレタンフォーム製の敷物体２０を挿入配置し、その凹み２１に携帯電話１を収納し、さらにその上に非導電体製ウレタンフォーム製の緩衝ブロック３０を嵌入したので、紙箱１０、敷物体２０および緩衝ブロック３０の三つの部材により、携帯電話１を収納した輸送箱を、例えば、販売店から製造会社に輸送中に外部から電磁力が作用するのを阻止することができる。従って、携帯電話１のデータが消えることがない。同様に、修理した携帯電話１を製造会社から販売店へ輸送する場合にも、外部からの電磁力の作用を阻止することができる。
【０００８】
また、敷物体２０に形成した凹み２１に携帯電話１を置くので、輸送時の振動や揺れによって携帯電話１が敷物体２０から飛び出すことがなく、安全に輸送することができる。
【０００９】
また、非導電体製ウレタンフォーム製の敷物体２０と緩衝ブロック３０は緩衝効果が高いので、輸送時の振動等によって携帯電話１が損傷することもない。
【００１０】
さらに、この紙箱１０は、箱本体１１の後側長上縁をヒンジにして蓋体１２を設け、当該蓋体１２の左右側および前側に嵌込片１３を垂下しているので、蓋体１２の開閉を容易に行うことができる。従って、携帯電話１の詰込みおよび取出し作業が容易となる。
【００１１】
また、敷物体２０および緩衝ブロック３０が非導電体であるので、輸送時に、外部の電磁力が携帯電話１に作用するのをさらに確実に阻止することができる。従って、携帯電話１のデータが消失するといった事態を、より未然に防止することができる。
【００１２】
請求項２に記載の携帯電話輸送箱は、請求項１に記載の考案と同様の効果を発揮すると共に、凹み２１内に、複数の携帯電話１を個別に収納する部屋を形成する仕切壁２２を設けたので、当該仕切り壁２２によっても携帯電話１を電磁力から保護することができる。また、輸送中の振動や揺れによって携帯電話１同士が接触して損傷するといった事態を未然に防止することができる。
【考案を実施するための最良の形態】
【００１３】
本考案に係る携帯電話輸送箱の第一実施形態を、図１および図２に示す。
この携帯電話輸送箱は、故障して販売店に持ち込まれた携帯電話１を製造会社に輸送する際に使用するもので、紙箱１０、敷物体２０および緩衝ブロック３０で構成される。
【００１４】
紙箱１０は、紙製であり、平面長方形である箱本体１１に、その後側長上縁をヒンジにして回動自在に蓋体１２を設け、蓋体１２の三辺に、箱本体１１の左右側および前側の三つの内壁に摺接する嵌込片１３を垂下して形成したものである。
【００１５】
敷物体２０は、紙箱１０の底面上に挿入配置されるものであり、その上面に、携帯電話１を置く凹み２１を凹設した非導電体製ウレタンフォーム製である。
【００１６】
また、緩衝ブロック３０は、敷物体２０の上側で、紙箱１０内の上部に嵌入される非導電体製ウレタンフォーム製である。この敷物体２０および緩衝ブロック３０は、非導電体である。
【００１７】
この携帯電話輸送箱は、紙箱１０内に挿入配置した非導電体製ウレタンフォーム製の敷物体２０の凹み２１に携帯電話１を置き、その上に、同じく非導電体製ウレタンフォーム製の緩衝ブロック３０を嵌入するので、紙箱１０、敷物体２０および緩衝ブロック３０のはたらきによって、輸送中に、携帯電話１に外部から電磁力が作用するのを阻止することができる。特に、敷物体２０と緩衝ブロック３０は非導電体であるため、その効果が高い。従って、携帯電話１のデータが消失することがない。
【００１８】
また、携帯電話１は敷物体２０の凹み２１に載置するので、輸送時の振動や揺れによって敷物体２０から飛び出ることなく安定した姿勢で搬送される。さらに、非導電体製ウレタンフォーム製の敷物体２０と緩衝ブロック３０は緩衝効果が高いので、輸送時の振動等によって携帯電話１が損傷することもない。
【００１９】
またさらに、この紙箱１０は、箱本体１１の後側長上縁をヒンジにして蓋体１２を設け、当該蓋体１２の左右側および前側に嵌込片１３を垂下しているので、蓋体１２の開閉を容易に行うことができる。従って、携帯電話１の詰込みおよび取出し作業が容易となる。
【００２０】
なお、本実施形態において、緩衝ブロック３０は敷物体２０の上端に上載するようにしているが、これに代えて、敷物体２０の凹み２１内へ嵌入させて、携帯電話１の下面を敷物体２０の底面に弾接させ、上面を緩衝ブロック３０の下面に弾接させることもできる。こうすることによって、電磁力が携帯電話１に作用するのをより確実に防止でき、また、輸送時に携帯電話１に作用する衝撃をより緩和することができる。
【００２１】
本考案に係る携帯電話輸送箱の第二実施形態を、図３に示す。この携帯電話輸送箱の特徴は、敷物体２０の凹み２１に二つの仕切壁２２を縦溝２３に着脱自在に取付け、凹み２１に載置した三つの携帯電話１が、この仕切壁２２によって外部の電磁力の作用を受けないようにすると共に、輸送中に相互に接触しないようにしている。これにより、携帯電話１に蓄積されたデータの消失をより確実に防止すると共に、接触による損傷を未然に防止することができる。なお、仕切壁２２の数、およびそれによって形成される部屋の数は限定されない。
【００２２】
本考案に係る携帯電話輸送箱の第三実施形態を、図４に示す。この輸送箱の特徴は、仕切壁２２を、敷物体２０の底面を三箇所に分けてそれぞれに第一傾斜面２４を形成することによって形成したことである。こうした構成とすることによって、仕切壁２２を箱本体１１と一体的に形成することもできるので、製造工程の簡素化および製造コストの削減を図ることができる。
【００２３】
また、本実施形態においては、緩衝ブロック３０の下面に、敷物体２０の上面に形成した第一傾斜面２４に対応する第二傾斜面３１を形成し、かつ、緩衝ブロック３０を敷物体２０の凹み２１内へ嵌入する大きさに設定している。これにより、各携帯電話１を、敷物体２０の第一傾斜面２４と緩衝ブロック３０の第二傾斜面３１によってその上下から挟み込むことができ、電磁力の作用をさらに確実に阻止し、輸送時の衝撃をより緩和することができる。
【００２４】
本考案に係る携帯電話輸送箱の第四実施形態を、図５に示す。この輸送箱の特徴は、仕切壁２２を敷物体２０の底面から一体的に立設して形成し、かつ、当該仕切壁２２によって形成した各部屋の前後を開放して解放部２５としたことである。仕切壁２２を敷物体２０と一体成形したので、製造工程の簡素化と製造コストの削減を図ることができ、解放部２５を形成したことによって、携帯電話１の詰込みおよび取出しが容易となり、また、その部分のウレタンの材料費を削減することができる。
【図面の簡単な説明】
【００２５】
【図１】本考案に係る携帯電話輸送箱の第一実施形態を示す分解斜視図である。
【図２】図１の携帯電話輸送箱の蓋体を閉じた状態を示す斜視図である。
【図３】本考案に係る携帯電話輸送箱の第二実施形態を示す分解斜視図である。
【図４】本考案に係る携帯電話輸送箱の第三実施形態を示す分解斜視図である。
【図５】本考案に係る携帯電話輸送箱の第二実施形態を示す分解斜視図である。
【符号の説明】
【００２６】
１      携帯電話
１０    紙箱
１１    箱本体
１２    蓋体
１３    嵌込片
２０    敷物体
２１    凹み
２２    仕切壁
２３    縦溝
２４    第一傾斜面
２５    解放部
３０    緩衝ブロック
３１    第二傾斜面
【図１】
0003104859.tif 000003
【図２】
0003104859.tif 000004
【図３】
0003104859.tif 000005
【図４】
0003104859.tif 000006
【図５】
0003104859.tif 000007